(57)【特許請求の範囲】
【請求項１】
キャノピィより吊下したホース処理ケース内に複数のホース昇降装置を設け、各ホース昇降装置で昇降する給油ホースの後端を給油管を介して貯油タンクに接続し、給油管にポンプ及び流量計を介装し、各給油ホースの先端に給油ノズルを設け、給油ノズルを天井位置と中間位置と給油位置の３位置間を昇降すようにホース昇降装置を制御する給油制御装置を設けた懸垂式給油装置において、
前記管理所内には前記給油制御装置に接続されたセルフコンソールが設けられ、
セルフコンソールのセルフ制御装置は、ホース昇降装置のケース内に設けられている給油制御装置に接続され、
前記給油ノズルを天井位置と中間位置の間を昇降させるものとして、セルフコンソールの表示器の精算画面を指で押した精算終了時にセルフ制御装置から出力される昇降信号を給油制御装置に出力するスイッチをセルフコンソールに設け、前記給油ノズルを中間位置と給油位置の間を昇降させる昇降信号を給油制御装置に出力するスイッチを給油ノズルの近傍に設けたことを特徴とした懸垂式給油装置。
【請求項２】
前記給油ノズルを天井位置から中間位置へ下降させる下降信号を出力するスイッチは各給油ノズル毎に設けられ、最先に押された一つだけが有効である請求項１記載の懸垂式給油装置。
【発明の詳細な説明】
【０００１】
【発明の属する技術分野】
本発明は、自動車へ燃料油を給油する給油所に設置される懸垂式給油装置で、特に顧客自身が給油をするセルフサービスの給油所に好適に実施できる懸垂式給油装置に関するものである。
【０００２】
【従来の技術】
人件費の圧縮を図るために、顧客自身が給油をするセルフサービスの給油所として、本出願人は種々の給油装置を提案している（例えば特願平９ー２５６０２６号）。しかしこれらの給油装置はアイランド上に設けられる固定式の給油装置であり、キャノピィから吊下された懸垂式給油装置では同一に実施できない。
【０００３】
【発明が解決しようとする課題】
そこで本発明は、顧客自身が給油をするセルフサービスの給油所で好適に実施できる懸垂式給油装置を提供することである。
【０００４】
【課題を解決するための手段】
上記目的を達成するために、本発明は、キャノピィより吊下したホース処理ケース内に複数のホース昇降装置を設け、各ホース昇降装置で昇降する給油ホースの後端を給油管を介して貯油タンクに接続し、給油管にポンプ及び流量計を介装し、各給油ホースの先端に給油ノズルを設け、給油ノズルを天井位置と中間位置と給油位置の３位置間を昇降すようにホース昇降装置を制御する給油制御装置を設けた懸垂式給油装置において、前記管理所内には前記給油制御装置に接続されたセルフコンソールが設けられ、セルフコンソールのセルフ制御装置は、ホース昇降装置のケース内に設けられている給油制御装置に接続され、前記給油ノズルを天井位置と中間位置の間を昇降させるものとして、セルフコンソールの表示器の精算画面を指で押した精算終了時にセルフ制御装置から出力される昇降信号を給油制御装置に出力するスイッチをセルフコンソールに設け、前記給油ノズルを中間位置と給油位置の間を昇降させる昇降信号を給油制御装置に出力するスイッチを給油ノズルの近傍に設けているので、管理所内の管理員が給油ノズルを天井位置から中間位置へ降ろすことができ、給油前の安全の確認及び危険状態での給油の開始を防止できる。また、給油ノズルを中間位置から給油位置へは給油をする顧客が降ろすので、給油ノズルを車に当てて車を傷つける危険性が少なくなる。この結果、本発明の懸垂式給油装置は、顧客自身が給油をするセルフサービスの給油所で好適に実施できる。
【０００５】
そして、前記管理所内には前記給油制御装置に接続されたセルフコンソールが設けられ、前記給油ノズルを天井位置と中間位置の間を昇降させる昇降信号を出力するスイッチはセルフコンソールに設けられているので、別個にスイッチを設ける必要が無くなり、低コストで実施できる。
【０００６】
また、前記給油ノズルを天井位置から中間位置へ下降させる下降信号を出力するスイッチは各給油ノズル毎に設けられ、最先に押された一つだけが有効であるので、誤油種が給油される虞がない。
【０００７】
さらに、前記給油ノズルを中間位置から天井位置へ上昇させる上昇信号は精算終了時に出力されるので、給油ノズルは精算が終わるまで中間位置に保持され、未精算が一目で分かり、給油所から未精算で退出されることが防止できる。
【０００８】
【発明の実施の形態】
以下、本発明の実施の形態を説明する。図１、２に示すように、給油所には複数の懸垂式給油装置１が設けられている。この懸垂式給油装置１のホース昇降装置２及び給油量表示器３は一体的に基板４に取り付けられ、キャノピィ５の下面に吊下されている。
【０００９】
基板４に取り付けられているホース処理ケース６内には、例えばレギュラガソリン、ハイオクガソリン、軽油のホース昇降装置２がそれぞれ組み込まれ、どのような油種でも給油ができるようになっている。各ホース昇降装置２のホースリール８には給油ホース９が巻回され、給油ホース９の先端には給油ノズル１０が取り付けられ、給油ノズル１０の近傍には昇降スイッチ１１が設けられ、昇降スイッチ１１から操作用の紐１２が下げられている。そして、ホースリール８を回動するモータ１３及びホースリール８の回動を介して給油ノズル１０の位置を検知する位置センサ１４がホースリール８にチェンで接続されている。また、給油ホース９の後端は給油管１７を介して図示しない貯油タンクに接続され、給油管１７にはポンプ１８及び流量計１９が介装されている。
【００１０】
一方、給油所の管理所２０内には、給油所の安全及び商品の販売を管理する管理員が操作するセルフコンソール２１が設けられている。図３に示すように、セルフコンソール２１にはタッチキー２２付きの表示器２３と、給油伝票を発行するプリンタ２４と、貨幣収納用のレジボックス２５が設けられている。表示器２３は複数に区画２６され、各区画２６が懸垂式給油装置１のそれぞれに割り当てられている。そして、セルフコンソール２１のセルフ制御装置２７は、ホース昇降装置２のケース６内に設けられている給油制御装置２８に図示しない信号線で接続されている。
【００１１】
給油制御装置２８は、セルフ制御装置２７から下降信号を受けて指定された油種のホース昇降装置２のリールモータ１３を正転し、給油ノズル１０が天井位置Ａから中間位置Ｂに降りたときに位置センサ１４から中間位置信号を受けてリールモータ１３を停止し、給油量表示器３に表示されていた前回の給油データを帰零する。そして、昇降スイッチ１１からオン信号を受けて再びリールモータ１３を正転し、給油ノズル１０が中間位置Ｂから給油位置Ｃに降りたときに位置センサ１４から給油位置信号を受けてリールモータ１３を停止し、ポンプ１８を駆動する。また、給油中は流量計１９から送られてくる流量パルス信号より演算された給油データを給油量表示器３へ表示し、同時に給油データをセルフコンソール２１のセルフ制御装置２７へ出力する。さらに、給油ノズルが給油位置にあるときに昇降スイッチ１１からオン信号を受けてポンプ１８を停止し、リールモータ１３を逆転し、給油終了信号をセルフ制御装置２７へ出力し、給油ノズル１０が給油位置Ｃから中間位置Ｂへ上昇したときに位置センサ１４から入力する中間位置信号を受けてリールモータ１３を停止する。また、給油ノズルが中間位置にあるときにセルフ制御装置２７から上昇信号を受けてリールモータ１３を逆転し、給油ノズル１０が中間位置Ｂから天井位置Ａへ上昇したときに位置センサ１４から入力する天井位置信号を受けてリールモータ１３を停止する。
【００１２】
懸垂式給油装置１の不使用中には区画２６に待機画面（図４  イ）を表示している。そして、区画２６の油種が表示されている部分が指で押されてタッチキー２２よりオン信号が伝わると、押された区画２６の番号の懸垂式給油装置１の給油制御装置２８へ下降信号を出力し、区画２６に給油画面（図４  ロ）を表示し、給油中は給油制御装置２８から送られてくる給油データを表示する。また、給油制御装置２８から給油終了信号を受けて、区画２６に精算画面（図４  ハ）を表示する。さらに、精算画面の精算が表示されている部分が指で押されてタッチキー２２よりオン信号が伝わると、給油データを印字した給油伝票をプリンタ２４より発行し、区画２６に待機画面（図４  イ）を表示し、給油制御装置２８へ給油ノズル１０の上昇信号を出力する。
【００１３】
次に、図５のフローに基づいて動作を説明する。給油にきた顧客が、例えば番号「１」の懸垂式給油装置１の下方の給油エリアに停車し、管理所２０で停車した懸垂式給油装置１の番号「１」と、給油をする油種、例えばレギュラガソリン、さらに必要に応じて給油量を管理員へ伝える。管理員は要望された番号「１」の懸垂式給油装置１の安全を確認し、セルフコンソール２１の表示器２３の区画２６の番号「１」に表示されている待機画面（図４  イ）の油種「レギュラ」を指で押し、タッチキー２２からオン信号がセルフ制御装置２７に伝わると（図５  ＳＴ１）、レギュラガソリンの給油ノズル１０の下降信号が懸垂式給油装置１の給油制御装置２８へ出力され、表示器２３の番号「１」の区画２６が給油画面（図４  ロ）に変わる（図５  ＳＴ２）。この下降信号を受けた給油制御装置２８は（図６  ＳＴ１）、レギュラガソリンのリールモータ１３へ正転信号を伝えてリールモータ１３が正転する（図６  ＳＴ２）。そして、給油ノズル１０は天井位置Ａから中間位置Ｂへ下降し、位置センサ１４から中間位置信号が給油制御装置２８に伝わると（図６  ＳＴ３）、リールモータ１３は停止し、給油量表示器３に表示されていた前回の給油データの表示が帰零される（図６  ＳＴ４）。
【００１４】
車の所へ戻った顧客が中間位置Ｂへ下降している給油ノズル１０の紐１２を引き、昇降スイッチ１１から給油制御装置２８へオン信号が入力すると（図６  ＳＴ５）、リールモータ１３は再び正転し（図６  ＳＴ６）、給油ノズル１０が中間位置Ｂから給油位置Ｃへ下降し、位置センサ１４から給油位置信号が給油制御装置２８に伝わると（図６  ＳＴ７）、リールモータ１３は停止し、ポンプ１８が駆動される（図６  ＳＴ８）。
【００１５】
顧客は給油ノズル１０を車の給油口へ挿入して給油を開始すると、給油量は流量計１９で計量され、流量計１９から出力される流量パルス信号は給油制御装置２８で演算され、演算された給油データは給油量表示器３に表示され、同時に給油データはセルフコンソール２１へ出力される。セルフコンソール２１のセルフ制御装置２７は表示器２３の番号「１」の区画２６に給油データを表示する。
【００１６】
所望量の給油が終わり、顧客が給油ノズル１０の紐１２を引き、昇降スイッチ１１から給油制御装置２８へオン信号が入力すると（図６  ＳＴ９）、ポンプ１８は停止し、給油終了信号がセルフコンソール２１へ出力され、リールモータ１３は正転し（図６  ＳＴ１０）、給油ノズル１０が給油位置Ｃから中間位置Ｂへ上昇して位置センサ１４から中間位置信号が給油制御装置２８に伝わると（図６  ＳＴ１１）、リールモータ１３は停止する（図６  ＳＴ１２）。また、給油終了信号を受けたセルフ制御装置２７は（図５  ＳＴ３）、表示器２３の番号「１」の区画２６を精算画面（図４  ハ）にする（図５  ＳＴ４）。
【００１７】
管理所２０に精算にきた顧客は、懸垂式給油装置１の番号「１」を管理員に伝え、管理員がセルフコンソール２１の表示器２３の番号「１」の区画２６に表示されている精算画面（図４  ハ）の「精算」を指で押し、この押し圧によりタッチキー２２からオン信号がセルフ制御装置２７に伝わると（図５  ＳＴ５）、給油データの印字された給油伝票がプリンタ２４より印字され、表示器２３の番号「１」の区画２６を待機画面（図４  イ）に変え、給油制御装置２８へ給油ノズル１０の上昇信号を出力する。
【００１８】
なお、ハイオクタンガソリンを給油する場合は、図５のステップＳＴ２０、２１及び図６のステップＳＴ２０、２１が実行され、軽油を給油する場合は、図５のステップＳＴ３０、３１及び図６のステップＳＴ３０、３１が実行される。そして、この動作はレギュラガソリンの動作と同様であるので説明を省略する。
【００１９】
また、顧客による給油操作に危険状態が生じた場合は、給油画面（図４  ロ）の「緊急停止」を指で押せば、緊急停止信号が給油制御装置２８へ伝わり、ポンプ１８が停止するようになっている。
【００２０】
【発明の効果】
以上説明したように本発明は、キャノピィより吊下したホース処理ケース内に複数のホース昇降装置を設け、各ホース昇降装置で昇降する給油ホースの後端を給油管を介して貯油タンクに接続し、給油管にポンプ及び流量計を介装し、各給油ホースの先端に給油ノズルを設け、給油ノズルを天井位置と中間位置と給油位置の３位置間を昇降すようにホース昇降装置を制御する給油制御装置を設けた懸垂式給油装置において、前記給油ノズルを天井位置と中間位置の間を昇降させる昇降信号を給油制御装置に出力するスイッチを管理所内に設け、前記給油ノズルを中間位置と給油位置の間を昇降させる昇降信号を給油制御装置に出力するスイッチを給油ノズルの近傍に設けているので、管理所内の管理員が給油ノズルを天井位置から中間位置へ降ろすことができ、給油前の安全の確認及び危険状態での給油の開始を防止できる。また、給油ノズルを中間位置から給油位置へは給油をする顧客が降ろすので、給油ノズルを車に当てて車を傷つける危険性が少なくなる。この結果、本発明の懸垂式給油装置は、顧客自身が給油をするセルフサービスの給油所で好適に実施できる。
【図面の簡単な説明】
【図１】  本発明の懸垂式給油装置を設けた給油所の斜視図である。
【図２】  本発明の懸垂式給油装置を設けた給油所の側面図である。
【図３】  セルフコンソールの正面図である。
【図４】  （イ）はセルフコンソールの表示器の待機画面、（ロ）は給油画面、（ハ）は精算画面である。
【図５】  セルフ制御装置のフロー図である。
【図６】  給油制御装置のフロー図である。
【符号の説明】
１  懸垂式給油装置
２  ホース昇降装置
３  給油量表示器
４  基板
５  キャノピィ
６  ホース処理ケース
８  ホースリール
９  給油ホース
１０  給油ノズル
１１  昇降スイッチ
１２  紐
１３  リールモータ
１４  位置センサ
１７  給油管
１８  ポンプ
１９  流量計
２０  管理所
２１  セルフコンソール
２２  タッチキー
２３  表示器
２４  プリンタ
２５  レジボックス
２６  区画
２７  セルフ制御装置
２８  給油制御装置
【図１】
0003832063.tif 000002
【図２】
0003832063.tif 000003
【図３】
0003832063.tif 000004
【図４】
0003832063.tif 000005
【図５】
0003832063.tif 000006
【図６】
0003832063.tif 000007